(57)【要約】【課題】遊技球の動きを複雑にして興趣の向上を図る。【解決手段】最上部に形成された入口２２ａ，２２ｂに接続された遊技球通路３０ａ，３０ｂの排出口３６ａ，３６ｂの下方に、排出口３６ａ，３６ｂからの遊技球を上段ステージ５０の手前側に導く前経路部４２ａ，４２ｂか奥側に導く奥経路部４４ａ，４４ｂかのいずれかに誘導する仕切壁４０ａ，４０ｂを設ける。上段ステージ５０には、遊技球を下段ステージ６０へ導くために上段ステージ５０の奥側の中央に中央開口部５４を手前側の両サイドにサイド開口部５６ａ，５６ｂを設ける。下段ステージ６０には、中央開口部５４の直下に遊技球を直線的に出口７０中央に導出する中央導出部６２を設ける。出口７０中央下方に図柄を変動表示するための始動口を設ければ、遊技球がいずれの通路を通って出口７０に導かれるかに遊技者の興味を向かせるから、興趣の向上を図ることができる。【選択図】        図２
2004209094.tif 000002
【特許請求の範囲】
【請求項１】
導入された遊技球を誘導して導出する遊技球誘導器を備える遊技機であって、
前記遊技球誘導器は、遊技球を複数の誘導経路のうちのいずれかに選択して誘導する少なくとも一つの選択誘導部と、該選択誘導部からの遊技球を該選択誘導部により選択された経路に基づいて複数の導出経路のうちのいずれかに選択して導出する選択導出部とが形成されてなる
遊技機。
【発明の詳細な説明】
【０００１】
【発明の属する技術分野】
本発明は、遊技機に関し、詳しくは、導入された遊技球を誘導して導出する遊技球誘導器を備える遊技機に関する。
【０００２】
【従来の技術】
従来、この種の遊技機としては、パチンコ機の遊技盤のほぼ中央に配置され、図柄の変動表示を行なう図柄変動表示器の枠体としてのセンターフレームを備えるものが提案されている。このセンターフレームは、フレーム上部に形成された入口に遊技球が入球されたときに、入球された遊技球をフレーム下部に形成されたステージに誘導し、ステージ中央に設けられた出口から排出するようになっている。
【０００３】
【特許文献１】
特開平１１−２１６２３２号公報
【０００４】
【発明が解決しようとする課題】
しかしながら、こうした遊技機では、単に、センターフレームの入口に導入された遊技球がステージに誘導されて出口から排出されるだけであるから、遊技球自体の動きが単調になってしまい、遊技球自体の動きが遊技者にとって面白みのないものとなっていた。
【０００５】
本発明の遊技機は、こうした問題を解決し、遊技球自体の動きを複雑にして遊技球自体の動きに対する興趣の向上を図ることを目的の一つとする。また、本発明の遊技機は、遊技球自体の動きと遊技者に与える利益とを結びつけて興趣の向上を図ることを目的の一つとする。
【０００６】
【課題を解決するための手段およびその作用・効果】
本発明の遊技機は、上述の目的の少なくとも一部を達成するために以下の手段を採った。
【０００７】
手段１．本発明の遊技機は、
導入された遊技球を誘導して導出する遊技球誘導器を備える遊技機であって、
前記遊技球誘導器は、遊技球を複数の誘導経路のうちのいずれかに選択して誘導する少なくとも一つの選択誘導部と、該選択誘導部からの遊技球を該選択誘導部により選択された経路に基づいて複数の導出経路のうちのいずれかに選択して導出する選択導出部と、が形成されてなることを要旨とする。
【０００８】
この本発明の遊技機では、少なくとも一つの選択誘導部に導かれた遊技球は、複数の誘導経路のうちのいずれかに選択されて選択導出部まで導かれ、選択導出部まで導かれた遊技球は、複数の誘導経路のうちの選択された経路に基づいて複数の導出経路のうちのいずれかに選択されて導出されるから、遊技者はどの経路に遊技球が誘導されて導出されるのかを楽しみながら見ることができる。即ち、遊技球自体の動きを複雑にして、興趣の向上を図ることができる。
【０００９】
手段２．手段１記載の遊技機であって、前記少なくとも一つの選択誘導部と前記選択導出部は、各々異なる態様で経路を選択する部位である遊技機。こうすれば、遊技球自体の動きをより複雑にできるから、より興趣の向上を図ることができる。
【００１０】
手段３．手段１または２記載の遊技機であって、前記少なくとも一つの選択誘導部は、遊技球を複数の第１の誘導経路のうちのいずれかに選択して誘導する第１の選択誘導部と、該第１の選択誘導部から誘導された遊技球を該第１の選択誘導部により選択された経路に基づいて複数の第２の誘導経路のうちのいずれかに選択して前記選択導出部に誘導する第２の選択誘導部とを少なくとも備える遊技機。こうすれば、遊技球自体の動きをより複雑にできるから、より興趣の向上を図ることができる。
【００１１】
手段４．手段３記載の遊技機であって、前記遊技球誘導器は、第１のステージと該第１のステージの下段に配置された第２のステージとを少なくとも備えてなる遊技機。こうすれば、第１のステージと第２のステージの少なくとも２つのステージにおける遊技球の動きを遊技者に楽しませることができる。
【００１２】
手段５．手段４記載の遊技機であって、前記第１のステージには、前記第２の選択誘導部が形成され、前記第２のステージには、前記選択導出部が形成されてなる遊技機。こうすれば、第１のステージに形成された第２の選択誘導部および第２のステージに形成された選択導出部における遊技球の動きを遊技者に楽しませることができる。
【００１３】
手段６．手段３ないし５いずれか記載の遊技機であって、前記遊技球誘導器は、遊技球の導入部としての少なくとも一つの入口と、該入口から前記第１の選択誘導部に遊技球を導く少なくとも一つの遊技球通路とを備える遊技機。こうすれば、入口から遊技球が入球することにより、遊技球を第１の選択誘導部に導くことができ、第１の選択誘導部における遊技球の動きを遊技者に楽しませることができる。
【００１４】
手段７．手段６記載の遊技機であって、前記第１の選択誘導部は、前記遊技球誘導器の左右に各々配置され、前記少なくとも一つの入口は、２つの入口であり、前記少なくとも一つの遊技球通路は、前記２つの入口のうちの一方からの遊技球を左側に配置された第１の選択誘導部に導くと共に前記２つの入口のうちの他方からの遊技球を右側に配置された第１の選択誘導部に導く２つの遊技球通路である遊技機。こうすれば、左側の遊技球通路の遊技球の動きと右側の遊技球通路の遊技球の動きを遊技者に楽しませることができる。
【００１５】
手段８．手段７記載の遊技機であって、前記２つの入口は、異なる大きさに形成されてなる遊技機。こうすれば、２つの入口の入球率を異ならせることができる。
【００１６】
手段９．手段７または８記載の遊技機であって、前記遊技球誘導器の右側に配置された前記第１の選択誘導部の複数の第１の誘導経路は、遊技球を右側から前記第２の選択誘導部に導く経路であり、前記遊技球誘導器の左側に配置された前記第１の選択誘導部の複数の第１の誘導経路は、遊技球を左側から前記第２の選択誘導部に導く経路である遊技機。こうすれば、遊技球を左右から第２の選択誘導部へ導くことができるから、この左右からの遊技球の動きを遊技者に楽しませることができる。
【００１７】
手段１０．手段６ないし９いずれか記載の遊技機であって、前記第１の選択誘導部は、前記遊技球通路の排出口に整合する部位に配置され、前記複数の第１の誘導経路の入口の一部を構成すると共に該入口の各々を仕切る仕切壁を備える遊技機。こうすれば、遊技球通路から導かれた遊技球を仕切壁により複数の第１の誘導経路のうちのいずれかに選択して誘導させることができる。
【００１８】
手段１１．手段５ないし１０いずれか記載の遊技機であって、前記第１のステージは、最下部から少なくとも所定範囲に亘って略左右対称に形成され、前記第２の選択誘導部は、前記最下部に配置されてなる遊技機。こうすれば、遊技者に最下部から少なくとも所定範囲に亘って略左右対称に形成された部位における遊技球の動きを楽しませることができる。
【００１９】
手段１２．手段５ないし１１いずれか記載の遊技機であって、前記複数の第２の誘導経路は、前記第１のステージ上の遊技球を前記下段に配置された第２のステージに導く経路である遊技機。こうすれば、第１のステージに形成された第２の選択誘導部における複数の第２の誘導経路のうちのいずれの経路が選択されて遊技球が第２のステージに導かれるのかを遊技者に楽しませることができる。
【００２０】
手段１３．手段１２記載の遊技機であって、前記複数の第２の誘導経路は、３つ以上の奇数の第２の誘導経路である遊技機。こうすれば、中央の第２の誘導経路を形成することができる。
【００２１】
手段１４．手段１３記載の遊技機であって、前記複数の第１の誘導経路のうちの一方は、遊技球を前記第１のステージの手前側に導く経路であり、前記複数の第１の誘導経路のうちの他方は、遊技球を前記第１のステージの奥側に導く経路であり、前記３つ以上の奇数の第２の誘導経路のうちの中央の第２の誘導経路の入口は、前記中央の第２の誘導経路とは異なる他の第２の誘導経路の入口よりも奥に配置されてなる遊技機。第１の選択誘導部から導かれた遊技球がそれぞれ第１のステージの手前か奥かによって中央の第２の誘導経路か他の第２の誘導経路かのいずれが選択されるのかを遊技者に楽しませることができる。
【００２２】
手段１５．手段１４記載の遊技機であって、前記第１のステージは、該第１のステージの奥に配置された前記中央の第２の誘導経路の入口の前方に、前方から前記中央の第２の誘導経路の入口に向かって傾斜する傾斜通路が形成されてなる遊技機。こうすれば、傾斜通路上の遊技球を中央の第２の誘導経路の入口へ導くことができる。
【００２３】
手段１６．手段１５記載の遊技機であって、前記他の第２の誘導経路の入口は、前記傾斜通路の両側に配置されてなる遊技機。こうすれば、遊技球が他の第２の誘導経路へ導かれるのか傾斜通路に導かれて中央の第２の誘導経路に導かれるのかを遊技者に楽しませることができる。
【００２４】
手段１７．手段１６記載の遊技機であって、前記他の第２の誘導経路の入口のうちの前記傾斜通路に対して右側に配置された入口および左側に配置された入口の一方は、他方よりも小さく形成されてなる遊技機。こうすれば、遊技球を、小さく形成された方の他の第２の誘導経路の入口を飛び越して傾斜通路に導き易くすることができ、傾斜通路を介して中央の第２の誘導経路の入口へ導き易くすることができる。
【００２５】
手段１８．手段１２ないし１７いずれか記載の遊技機であって、前記複数の第２の誘導経路は、前記第１のステージに導かれた遊技球を前記下段に配置された第２のステージに落下させる複数の開口部である遊技機。こうすれば、第１のステージに導かれた遊技球を容易に第２のステージに導くことができる。
【００２６】
手段１９．手段５ないし１８いずれか記載の遊技機であって、前記第１のステージは、前記複数の第２の誘導経路を除いて遊技球を前記第１のステージ上に保持する保持部が形成されてなる遊技機。こうすれば、第２の誘導経路以外から遊技球が第１のステージから出るのをより確実に防止することができる。
【００２７】
手段２０．手段５ないし１９いずれか記載の遊技機であって、前記複数の導出経路は、前記複数の第２の誘導経路に略対応する位置に配置されてなる遊技機。こうすれば、第１のステージ上に形成された第２の選択誘導部における複数の第２の誘導経路のうちのいずれの経路に遊技球が入球されたかによって第２のステージ上に形成された選択導出部における複数の導出経路のうちのいずれの経路から遊技球が導出されるのかを遊技者に楽しませることができる。
【００２８】
手段２１．手段２０記載の遊技機であって、前記複数の導出経路は、後方から前方に向かって並列に形成された３つ以上の奇数の導出経路である遊技機。こうすれば、中央の経路を形成できるから、遊技球の導出を中央の経路やその両側の経路などにより行なうことができる。
【００２９】
手段２２．手段１３に係る手段２１記載の遊技機であって、前記３つ以上の奇数の第２の誘導経路のうちの中央の第２の誘導経路は、遊技球を前記３つ以上の奇数の導出経路のうちの中央の導出経路に導く経路である遊技機。こうすれば、中央の第２の誘導経路に入球した遊技球をより確実に中央の導出経路に導いて遊技球誘導器から導出させることができる。
【００３０】
手段２３．手段２１または２２記載の遊技機であって、前記３つ以上の奇数の導出経路のうちの中央の導出経路は、他の導出経路よりも幅が狭く形成されてなる遊技機。こうすれば、中央の導出経路における遊技球を他の導出経路よりも直線的に導出させることができる。
【００３１】
手段２４．手段２１ないし２３いずれか記載の遊技機であって、前記３つ以上の奇数の導出経路のうちの中央の導出経路は、遊技球が経路の左右方向に略移動不能となるよう形成され、前記他の導出経路は、遊技球が経路の左右方向に移動可能となるよう形成されてなる遊技機。こうすれば、中央の導出経路における遊技球を直線的に導出させることができると共に他の導出経路における遊技球の中央の導出経路への移動を可能にできるから、興趣の向上を図ることができる。
【００３２】
手段２５．手段１ないし２４いずれか記載の遊技機であって、前記複数の導出経路のうちの一の経路の出口の下方に整合する部位に入賞口または入賞ゲートが配置されてなる遊技機。こうすれば、遊技者に、遊技球誘導器から複数の導出経路のうちの一の経路を通って導出された遊技球の入賞口への入賞や入賞ゲートへの通過を強く期待させることができ、興趣の向上を図ることができる。
【００３３】
手段２６．手段２１ないし２４いずれかに係る手段２５記載の遊技機であって、前記複数の導出経路のうちの一の経路は、前記３つ以上の奇数の導出経路のうちの中央の導出経路である遊技機。
【００３４】
手段２７．本発明の遊技球誘導器は、
手段１ないし２６いずれか記載の遊技機が備える遊技球誘導器として構成されてなること、基本的には、遊技球を複数の誘導経路のうちのいずれかに選択して誘導する少なくとも一つの選択誘導部と、該選択誘導部により選択された経路に基づいて該選択された経路からの遊技球を複数の導出経路のうちのいずれかに選択して導出するの選択導出部とが形成されてなることを要旨とする。
【００３５】
この本発明の遊技球誘導器は、本発明の遊技機が備える上述の手段１ないし２６いずれか記載の遊技球誘導器として構成されるから、本発明の遊技機が備える効果、即ち、遊技球自体の動きを複雑にして、興趣の向上を図ることができるという効果を奏することができる。
【００３６】
【発明の実施の形態】
次に、本発明の実施の形態を実施例を用いて説明する。図１は、本発明の一実施例である遊技球誘導器２０が組み込まれた遊技機としてのパチンコ機１０の一例を正面から見た正面図であり、図２は、実施例の遊技球誘導器２０の外観を示す斜視図であり、図３は、実施例の遊技球誘導器２０の外観を示す正面図である。実施例の遊技球誘導器２０は、図１に示すように、始動口１４や大入賞口１６の上方であってパチンコ機１０のほぼ中央に取り付けられ、始動口１４への入賞により図柄を変動表示する変動表示装置１２の枠体として構成されている。
【００３７】
実施例の遊技球誘導器２０は、図２および図３に示すように、最上部中央に左右対称に形成された２つの入口２２ａ，２２ｂから入球された遊技球を、左右に配置された左右対称の遊技球通路３０ａ，３０ｂ，下部に配置された上段ステージ５０，上段ステージ５０の下方の最下部に配置された下段ステージ６０を介して出口７０に誘導する。
【００３８】
遊技球通路３０ａ，３０ｂは、図２および図３に示すように、入口２２ａ，２２ｂから円弧を描いて下る上部通路部３２ａ，３２ｂと、この上部通路部３２ａ，３２ｂと連通すると共に遊技球通路３０ａ，３０ｂの内側に向けて屈曲する屈曲通路を形成する屈曲通路部３４ａ，３４ｂとから構成されている。入口２２ａ，２２ｂに入球した遊技球は、上部通路部３２ａ，３２ｂにより屈曲通路部３４ａ，３４ｂに導かれ、この屈曲通路部３４ａ，３４ｂで速度が落とされて屈曲通路部３４ａ，３４ｂの通路端部の奥側に形成された排出口３６ａ，３６ｂから排出される。
【００３９】
遊技球通路３０ａ，３０ｂの排出口３６ａ，３６ｂの下方には、遊技球をなめらかな曲面をもって上段ステージ５０の手前側に導く前経路部４２ａ，４２ｂと、遊技球をクランク状の通路を形成するクランク部４６ａ，４６ｂを介して上段ステージ５０の奥側に導く奥経路部４４ａ，４４ｂと、この前経路部４２ａ，４２ｂと奥経路部４４ａ，４４ｂの一部を構成すると共に両通路部を仕切る仕切壁４０ａ，４０ｂとが設けられている。遊技球通路３０ａ，３０ｂの排出口３６ａ，３６ｂから排出された遊技球は、仕切壁４０ａ，４０ｂにより前経路部４２ａ，４２ｂか奥経路部４４ａ，４４ｂかのいずれかの通路部に振り分けられる。図４に、実施例の遊技球誘導器２０の左側に形成された奥経路部４４ａの断面を示す。仕切壁４０ａにより遊技球が奥経路部４４ａに振り分けられたときには、図４に示すように、遊技球はクランク部４６ａに導かれ、連絡口４８ａから上段ステージ５０上の奥側に誘導される。仕切壁４０ａ，４０ｂにより遊技球が前経路部４２ａ，４２ｂに振り分けられたときには、前経路部４２ａ，４２ｂの曲面上を通って上段ステージ５０上の手前側に誘導される。
【００４０】
上段ステージ５０は、図２に示すように、手前側に向かって緩やかな傾斜が形成されたステージ中央部５１と、前経路部４２ａ，４２ｂまたは奥経路部４４ａ，４４ｂにより誘導された遊技球を左右側から中央に向かって緩やかな傾斜をもってステージ中央部５１に導くステージサイド部５２ａ，５２ｂと、ステージ中央部５１の手前の両サイドに配置され遊技球を下方の下段ステージ６０に導くサイド開口部５６ａ，５６ｂと、サイド開口部５６ａ，５６ｂの間をなす部位の奥側に配置され遊技球を下方の下段ステージ６０へ導く中央開口部５４と、サイド開口部５６ａ，５６ｂの間をなす部位に配置され遊技球を緩やかな傾斜をもって奥側の中央開口部５８に導く中央傾斜通路５５とから構成されている。サイド開口部５６ａ，５６ｂのうちの右側に配置された開口部５６ｂは、左側に配置された開口部５６ａよりも小さく形成されている。また、上段ステージ５０のステージサイド部５２ａ，５２ｂやステージ中央部５１の手前側には、遊技球が前面に落ちないようにガード壁５８も設けられている。
【００４１】
下段ステージ６０は、図２および図３に示すように、上段ステージ５０の中央開口部５４に直下に配置され主に中央開口部５４からの遊技球を手前側に向かって緩やかに傾斜している略凹状の溝をもって出口７０の中央に導出する中央導出部６２と、サイド開口部５６ａ，５６ｂの下方に配置されサイド開口部５６ａ，５６ｂからの遊技球を左右の移動が可能な滑らかな曲面をもって出口７０に導出するサイド導出部６４ａ，６４ｂとから構成されている。中央導出部６２は、遊技球が左右の方向に移動不能となるよう両サイドが遊技球に略当接するよう形成されている。このように中央導出部６２を形成することにより、遊技球を直線的に出口７０の中央に導出することができる。
【００４２】
次に、こうして構成された実施例の遊技球誘導器２０における遊技球の動作について説明する。入口２２ａ，２２ｂに入球した遊技球は、遊技球通路３０ａ，３０ｂの上部通路部３２ａ，３２ｂを通って屈曲通路部３４ａ，３４ｂにより屈曲されて排出口３６ａ，３６ｂから排出され、排出口３６ａ，３６ｂの下方に設けられた仕切壁４０ａ，４０ｂにより前経路部４２ａ，４２ｂか奥経路部４４ａ，４４ｂかのいずれかに振り分けられる。仕切壁４０ａ，４０ｂにより前経路部４２ａ，４２ｂに振り分けられた遊技球は、前経路部４２ａ，４２ｂにより上段ステージ５０の手前側に誘導される。仕切壁４０ａ，４０ｂにより奥経路部４４ａ，４４ｂに振り分けられた遊技球は、クランク部４６ａ，４６ｂを介して連絡口４８ａ，４８ｂから上段ステージ５０の奥側に誘導される。尚、仕切壁４０ａ，４０ｂにより前経路部４２ａ，４２ｂか奥経路部４４ａ，４４ｂかのいずれの通路部に遊技球が誘導されるかは、遊技球通路３０ａ，３０ｂの排出口３６ａ，３６ｂから出る遊技球の速度や方向などにより決まる。
【００４３】
前経路部４２ａ，４２ｂから上段ステージ５０の手前側に導かれた遊技球は、上段ステージ５０の手前側に配置されているサイド開口部５６ａ，５６ｂに直接入球したり、サイド開口部５６ａ，５６ｂを飛び越して中央傾斜通路５５に至り中央傾斜通路５５を通って上段ステージ５０の奥側に配置されている中央開口部５４に入球したりする。一方、奥経路部４４ａ，４４ｂから上段ステージ５０の奥側に導かれた遊技球は、一旦ステージ中央部５１を通過して再びステージ中央部５１に戻って中央開口部５４に入球あるいはステージ中央部５１を通過しないで直接中央開口部５４に入球したり、サイド開口部５６ａ，５６ｂに入球したりする。前経路部４２ａ，４２ｂから中央開口部５４へ入球するためには、サイド開口部５６ａ，５６ｂを飛び越えて中央傾斜通路５５に到達しなければならないから、入球し難いが、奥経路部４４ａ，４４ｂから中央開口部５４へは、上段ステージ５０の奥側から直接入球できるから、前経路部４２ａ，４２ｂに比して中央開口部５４に入球しやすい。尚、前述したように、サイド開口部５６ａ，５６ｂのうち右側に配置されているサイド開口部５６ｂは、左側に配置されているサイド開口部５６ａよりも小さく形成されているため、右側の前経路部４２ｂから上段ステージ５０の手前側に導かれた遊技球は、左側の前経路部４２ａから導かれる遊技球に比べて、サイド開口部５６ｂに入球せずに中央傾斜通路５５を介して中央開口部５４に入球しやすくなる。
【００４４】
上段ステージ５０に配置された中央開口部５４から下段ステージ６０に導かれた遊技球は、下段ステージ６０中央の中央導出部６２に落下し、直線的に導かれて出口７０の中央に導出される。一方、サイド開口部５６ａ，５６ｂから下段ステージ６０に導かれた遊技球は、下段ステージ６０の両サイドのサイド導出部６４ａ，６４ｂに落下し、そのままほぼ直線的に出口７０に導出されたり、サイド導出部６４ａ，６４ｂの壁面に衝突して左右の移動を伴いながら出口７０に導出されたりする。遊技球がサイド導出部６４ａ，６４ｂの壁面に衝突して左右に移動を伴う際には、遊技球は、中央導出部６２に嵌りこの中央導出部６２を通って出口７０の中央に導出されることもある。
【００４５】
実施例のパチンコ機１０は、図１に示すように、遊技球誘導器２０の出口７０の中央下方に図柄表示装置１２における図柄の変動表示を開始するための始動口１４や大入賞口１６が設けられている。したがって、実施例の遊技球誘導器２０の出口７０のどの位置からどの方向で遊技球が排出されるのかによって始動口１４に入賞しやすくなるか否かが決定されると共に大入賞口１６へ入賞しやすくなるか否かが決定される。実施例の遊技球誘導器２０では、遊技球が中央導出部６２を通って出口７０の中央に導出される場合には、下段ステージ６０の中央を奥から手前に向かって直線的に移動するから始動口１４に入賞しやすくなり、遊技球がサイド導出部６４ａ，６４ｂを通って出口７０に導出される場合には、サイド導出部６４ａ，６４ｂの下方が始動口１４とずれているから始動口１４に入賞し難くなる。中央導出部６２には、上段ステージ５０の中央に配置された中央開口部５４に遊技球が入球されると導入されやすくなり、さらに、中央開口部５４には、奥経路部４４ａ，４４ｂから遊技球が誘導されると導入されやすくなる。このため、遊技者は、遊技球通路３０ａ，３０ｂからの遊技球が、仕切壁４０ａ，４０ｂにより前経路部４２ａ，４２ｂおよび奥経路部４４ａ，４４ｂのいずれの通路に導かれるか、また、上段ステージ５０に導かれた遊技球が、中央開口部５４およびサイド開口部５６ａ，５６ｂのいずれの開口部に導かれるか、さらに、下段ステージ６０に導かれた遊技球が、中央導出部６２およびサイド導出部６４ａ，６４ｂのいずれの導出部から出口７０に導出されるのかに興味が向くようになる。また、実施例の遊技球誘導器２０では、大入賞口１６の開状態のときに大入賞口１６への入賞をしやすくすることにより、遊技者は一層興味を持つようになる。
【００４６】
以上説明した実施例の遊技球誘導器２０によれば、遊技球通路３０ａ，３０ｂから導入された遊技球が、仕切壁４０ａ，４０ｂにより前経路部４２ａ，４２ｂおよび奥経路部４４ａ，４４ｂのいずれかの経路に導かれ、前経路部４２ａ，４２ｂまたは奥経路部４４ａ，４４ｂから上段ステージ５０上に導かれた遊技球が、中央開口部５４およびサイド開口部５６ａ，５６ｂのいずれかの開口部に導かれ、さらに、中央開口部５４またはサイド開口部５６ａ，５６ｂから下段ステージ６０上に導かれた遊技球が、中央導出部６２およびサイド導出部６４ａ，６４ｂのいずれかの導出部に導かれるよう構成することにより、遊技球を遊技者の興味をそそるように移動させて、興趣の向上を図ることができる。
【００４７】
また、実施例の遊技球誘導器２０によれば、下段ステージ６０の中央導出部６２の下方に始動口１４や大入賞口１６を配置することにより、遊技球を遊技球誘導器２０によって始動口１４や大入賞口１６に誘導することができる。この結果、遊技球が導かれる経路によっては遊技者に対する遊技球の始動口１４への入賞や大入賞口１６への入賞の期待を高くすることができるから、より一層の興趣の向上を図ることができる。
【００４８】
実施例の遊技球誘導器２０では、上段ステージ５０に中央開口部５４およびサイド開口部５６ａ，５６ｂの３つの開口部を形成したが、５つ以上の奇数の開口部を形成するものとしてもよい。あるいは、２つ以上の偶数の開口部を形成するものとしても差し支えない。また、実施例の遊技球誘導器２０では、サイド開口部５６ａ，５６ｂのうちの右側のサイド開口部５６ｂを左側のサイド開口部５６ａよりも小さくなるよう形成したが、大きくなるよう形成するものとしてもよく、同じ大きさとなるよう形成するものとしても構わない。
【００４９】
実施例の遊技球誘導器２０では、最上部中央に左右対称に同じ大きさの遊技球の入口２２ａ，２２ｂを設けたが、最上部中央に一つの入口を設けるものとしてもよく、最上部中央に左右非対称の異なる大きさの２つの入口を設けるものとしてもよい。また、左右の側部のいずれかの位置に左右対称に或いは左右非対称に１つ以上の遊技球の入口を設けるものとしてもよい。即ち、遊技球誘導器２０のいずれの箇所に遊技球の入口を設けるものとしてもよい。また、実施例の遊技球誘導器２０では、上段ステージ５０の中央に配置された中央開口部５４の直下に凹状に下段ステージ６０の中央導出部６２を形成したが、例えば、円弧状に形成する等、凹状に形成しないものとしてもよい。
【００５０】
実施例の遊技球誘導器２０では、上段ステージ５０にガード壁５８を設けるものとしたが、遊技球が上段ステージ５０の前面から出ないようにすればよいから、必ずしも壁とする必要はない。
【００５１】
実施例の遊技球誘導器２０では、仕切壁４０ａ，４０ｂにより遊技球を前経路部４２ａ，４２ｂと奥経路部４４ａ，４４ｂのいずれかの通路部に振り分けるものとしたが、振り分けないものとしても構わない。即ち、導入されたすべての遊技球を前経路部４２ａ，４２ｂにより上段ステージ５０上に導くものとしたり、導入されたすべての遊技球を奥経路部４４ａ，４４ｂにより上段ステージ５０上に導くものとしても構わない。このとき、遊技球を導かない方の経路部を形成する必要はない。
【００５２】
実施例のパチンコ機１０では、入口２２ａ，２２ｂと遊技球通路３０ａ，３０ｂと上段ステージ５０と下段ステージ６０と出口７０とからなる遊技球誘導器２０を備えるものとしたが、入口２２ａ，２２ｂや遊技球通路３０ａ，３０ｂを備えない機構、即ち上段ステージ５０と下段ステージ６０と出口７０とから構成されるステージ機構を備えるものとしても構わない。
【００５３】
以上、本発明の実施の形態について実施例を用いて説明したが、本発明はこうした実施例に何等限定されるものではなく、本発明の要旨を逸脱しない範囲内において、種々なる形態で実施し得ることは勿論である。
【図面の簡単な説明】
【図１】本発明の一実施例である遊技球誘導器２０が組み込まれた遊技機としてのパチンコ機１０の一例を正面から見た正面図である。
【図２】実施例の遊技球誘導器２０の外観を示す斜視図である。
【図３】実施例の遊技球誘導器２０の外観を示す正面図である。
【図４】実施例の遊技球誘導器２０の左側に形成された奥経路部４４ａの断面を示す断面図である。
【符号の説明】
１０  パチンコ機、１２  図柄表示装置、１４  始動口、１６  大入賞口、２０  遊技球誘導器、２２ａ，２２ｂ  入口、３０ａ，３０ｂ  遊技球通路、３２ａ，３２ｂ  上部通路部、３４ａ，３４ｂ  屈曲通路部、３６ａ，３６ｂ  排出口、４０ａ，４０ｂ  仕切壁、４２ａ，４２ｂ  前経路部、４４ａ，４４ｂ  奥経路部、４６ａ，４６ｂ  クランク部、４８ａ，４８ｂ  連絡口、５０  上段ステージ、５１  ステージ中央部、５２ａ，５２ｂ  ステージサイド部、５４  中央開口部、５５  中央傾斜通路、５６ａ，５６ｂ  サイド開口部、５８  ガード壁、６０  下段ステージ、６２  中央導出部、６４ａ，６４ｂ  サイド導出部，７０  出口。
【図１】
2004209094.tif 000003
【図２】
2004209094.tif 000004
【図３】
2004209094.tif 000005
【図４】
2004209094.tif 000006